(57)【特許請求の範囲】
【請求項１】
園芸ハウス内に二酸化炭素を供給する二酸化炭素供給システム（１０）であって、
燃料を燃焼させ、燃焼ガスを前記園芸ハウス内に供給する燃焼部（２０）と、
燃焼ガスと熱媒体との間で熱交換を行わせて該熱媒体に吸熱させる吸熱用熱交換部（３０）と、
前記吸熱用熱交換部を介して熱媒体を循環させる循環流路（４０）と、
前記吸熱用熱交換部よりも下流側の前記循環流路に設けられ、熱媒体と前記園芸ハウス内の空気との間で熱交換を行わせる第１空調用熱交換部（５１）と、
前記第１空調用熱交換部よりも下流側の前記循環流路に設けられ、上流側から供給される熱媒体を内部に流入させて貯留し、且つ、該熱媒体の流入に伴って、貯留している熱媒体を下流側に流出させる貯留部（６０）と、
前記貯留部よりも下流側の前記循環流路に設けられ、熱媒体と前記園芸ハウス内の空気との間で熱交換を行わせる第２空調用熱交換部（５２）と、
前記燃焼部、前記第１空調用熱交換部及び前記第２空調用熱交換部を制御する制御部（９０）と、を備え、
前記制御部は、
前記燃焼部を動作させることなく、前記第１空調用熱交換部及び前記第２空調用熱交換部の少なくとも一方を動作させることによって、前記園芸ハウス内の空気を加熱する暖房モードと、
前記第２空調用熱交換部を動作させることなく、前記燃焼部及び前記第１空調用熱交換部を動作させることによって、前記園芸ハウス内の空気を加熱しながら二酸化炭素を供給する暖房供給モードと、
前記第１空調用熱交換部を動作させることなく、前記燃焼部及び前記第２空調用熱交換部を動作させることによって、前記園芸ハウス内の空気を冷却しながら二酸化炭素を供給する冷房供給モードと、を実行する二酸化炭素供給システム。
【請求項２】
前記園芸ハウス内の空気の温度を検出するハウス内温度検出部（８１）を備え、
前記制御部は、前記園芸ハウス内の空気の温度が予め設定された閾値よりも低い場合は前記暖房供給モードを実行する一方で、前記園芸ハウス内の空気の温度が前記閾値よりも高い場合は前記冷房供給モードを実行する、請求項１に記載の二酸化炭素供給システム。
【請求項３】
前記閾値は、時間帯とともに変化するように設定されている、請求項２に記載の二酸化炭素供給システム。
【請求項４】
前記第２空調用熱交換部に供給される熱媒体の温度を検出する熱媒体温度検出部（８２）を備え、
前記制御部は、前記熱媒体温度検出部によって検出される温度が、前記ハウス内温度検出部によって検出される温度よりも高い場合は、前記冷房供給モードの実行を禁止する、請求項３に記載の二酸化炭素供給システム。
【請求項５】
園芸ハウス内に二酸化炭素を供給する二酸化炭素供給システム（１０Ａ）であって、
燃料を燃焼させ、燃焼ガスを前記園芸ハウス内に供給する燃焼部（２０）と、
燃焼ガスと熱媒体との間で熱交換を行わせて該熱媒体に吸熱させる吸熱用熱交換部（３０）と、
前記吸熱用熱交換部を介して熱媒体を循環させる循環流路（４０Ａ）と、
前記吸熱用熱交換部よりも下流側の前記循環流路に設けられ、上流側から供給される熱媒体を内部に流入させて貯留し、且つ、該熱媒体の流入に伴って、貯留している熱媒体を下流側に流出させる貯留部（６０）と、
前記循環流路に設けられ、熱媒体と前記園芸ハウス内の空気との間で熱交換を行わせる第３空調用熱交換部（５３）と、
前記循環流路を切り替える切替弁（４６）であって、前記吸熱用熱交換部から供給される熱媒体を前記貯留部に供給し、前記貯留部から流出する熱媒体を前記第３空調用熱交換部に供給する第１循環状態と、前記吸熱用熱交換部から供給される熱媒体を前記貯留部に供給することなく前記第３空調用熱交換部に供給する第２循環状態と、を切り替える前記切替弁と、
前記燃焼部、前記第３空調用熱交換部及び前記切替弁を制御する制御部（９０Ａ）と、を備え、
前記制御部は、
前記循環流路を前記第１循環状態として、前記燃焼部を動作させることなく前記第３空調用熱交換部を動作させることによって、前記園芸ハウス内の空気を加熱する暖房モードと、
前記循環流路を前記第２循環状態として、前記燃焼部及び前記第３空調用熱交換部を動作させることによって、前記第３空調用熱交換部において前記園芸ハウス内の空気を加熱しながら二酸化炭素を供給する暖房供給モードと、
前記切替弁を前記第１循環状態として、前記燃焼部及び前記第３空調用熱交換部を動作させることによって、前記第３空調用熱交換部において前記園芸ハウス内の空気を冷却しながら二酸化炭素を供給する冷房供給モードと、を実行する二酸化炭素供給システム。
【請求項６】
前記園芸ハウス内の空気の温度を検出するハウス内温度検出部（８１）を備え、
前記制御部は、前記園芸ハウス内の空気の温度が予め設定された閾値よりも低い場合は前記暖房供給モードを実行する一方で、前記園芸ハウス内の空気の温度が前記閾値よりも高い場合は前記冷房供給モードを実行する、請求項５に記載の二酸化炭素供給システム。
【請求項７】
前記閾値は、時間とともに変化するように設定されている、請求項６に記載の二酸化炭素供給システム。
【請求項８】
前記第３空調用熱交換部に供給される熱媒体の温度を検出する熱媒体温度検出部（８２）を備え、
前記制御部は、前記熱媒体温度検出部によって検出される温度が、前記ハウス内温度検出部によって検出される温度よりも高い場合は、前記冷房供給モードの実行を禁止する、請求項７に記載の二酸化炭素供給システム。
【発明の詳細な説明】
【技術分野】
【０００１】
本発明は、園芸ハウス内に二酸化炭素を供給する二酸化炭素供給システムに関する。
【背景技術】
【０００２】
園芸ハウス内に二酸化炭素を供給する二酸化炭素供給システムの普及が進んでいる。二酸化炭素供給システムは、園芸ハウス内の園芸植物に二酸化炭素を供給することによって光合成を促進するものであって、園芸植物の収率や品質の向上を目的として用いられる。
【０００３】
この種の二酸化炭素供給システムとして、燃料を燃焼させるとともに、燃焼に伴って発生する燃焼ガスを園芸ハウス内に供給するものが知られている。この燃焼ガスの供給により、二酸化炭素とともに燃焼熱が園芸ハウス内に供給される。これにより、冬場などでも、園芸ハウス内の空気の温度を上昇させ、園芸植物の温度低下を抑制することができる。
【０００４】
しかしながら、冬場でも、園芸ハウスが多量の日射を受けている場合は、二酸化炭素とともに燃焼熱が供給されると、園芸ハウス内の空気の温度が過度に高まり、園芸植物の生育に悪影響を及ぼすおそれがある。このような事態を防止するための対策として、園芸ハウスの天窓等を開放して換気を行うことが考えられるが、それに伴って二酸化炭素も園芸ハウス外に排出される。このため、二酸化炭素供給システムが園芸ハウス内に供給した二酸化炭素のうち、園芸植物の光合成に有効利用されるものの量が減少してしまう。
【０００５】
下記特許文献１には、燃焼器において発生した燃焼ガスと水との間で熱交換を行わせ、温度が低下した燃焼ガスを園芸ハウス内に供給する二酸化炭素供給装置が記載されている。また、燃焼ガスとの熱交換によって温度が上昇した水は、蓄熱タンクに貯留される。当該水が有する熱エネルギは、燃焼ガスを供給しない時間帯に園芸ハウス内の暖房に用いられる。
【０００６】
下記特許文献１記載の装置によれば、例えば、日射量が多く光合成を期待できる昼間は、園芸ハウス内に二酸化炭素を供給しながら蓄熱タンクに高温の水を貯留する一方で、夜間は、二酸化炭素を供給することなく、蓄熱タンクから供給される高温の水を用いて園芸ハウス内の暖房を行うことが可能となる。
【先行技術文献】
【特許文献】
【０００７】
【特許文献１】国際公開２０１４／０１０５６１号
【発明の概要】
【発明が解決しようとする課題】
【０００８】
朝方や昼間の日射量は、時間とともに大きく変化し、園芸ハウス内の空気の温度も、この日射量の影響を受けて変化する。このため、園芸ハウス内に二酸化炭素を供給する際に、光合成促進の観点で園芸ハウス内の空気の温度が適切な値になっていないおそれがある。上記特許文献１は、このように二酸化炭素を供給する際の園芸ハウス内の温度調整に関して十分な具体的手段を開示しておらず、更なる改善が望まれていた。
【０００９】
本発明はこのような課題に鑑みてなされたものであり、その目的は、園芸ハウス内に二酸化炭素を供給しながら、園芸ハウス内の空気の温度が適切な値となるように調整可能な二酸化炭素供給システムを提供することにある。
【課題を解決するための手段】
【００１０】
上記課題を解決するために、本発明に係る二酸化炭素供給システムは、園芸ハウス内に二酸化炭素を供給する二酸化炭素供給システム（１０）であって、燃料を燃焼させ、燃焼ガスを前記園芸ハウス内に供給する燃焼部（２０）と、燃焼ガスと熱媒体との間で熱交換を行わせて該熱媒体に吸熱させる吸熱用熱交換部（３０）と、前記吸熱用熱交換部を介して熱媒体を循環させる循環流路（４０）と、前記吸熱用熱交換部よりも下流側の前記循環流路に設けられ、熱媒体と前記園芸ハウス内の空気との間で熱交換を行わせる第１空調用熱交換部（５１）と、前記第１空調用熱交換部よりも下流側の前記循環流路に設けられ、上流側から供給される熱媒体を内部に流入させて貯留し、且つ、該熱媒体の流入に伴って、貯留している熱媒体を下流側に流出させる貯留部（６０）と、前記貯留部よりも下流側の前記循環流路に設けられ、熱媒体と前記園芸ハウス内の空気との間で熱交換を行わせる第２空調用熱交換部（５２）と、前記燃焼部、前記第１空調用熱交換部及び前記第２空調用熱交換部を制御する制御部（９０）と、を備える。前記制御部は、前記燃焼部を動作させることなく、前記第１空調用熱交換部及び前記第２空調用熱交換部の少なくとも一方を動作させることによって、前記園芸ハウス内の空気を加熱する暖房モードと、前記第２空調用熱交換部を動作させることなく、前記燃焼部及び前記第１空調用熱交換部を動作させることによって、前記園芸ハウス内の空気を加熱しながら二酸化炭素を供給する暖房供給モードと、前記第１空調用熱交換部を動作させることなく、前記燃焼部及び前記第２空調用熱交換部を動作させることによって、前記園芸ハウス内の空気を冷却しながら二酸化炭素を供給する冷房供給モードと、を実行する。
【００１１】
この構成によれば、制御部は、暖房モードの実行により、園芸ハウス内に二酸化炭素を供給することなく園芸ハウス内の空気を加熱する。当該暖房モードでは、第１空調用熱交換部及び第２空調用熱交換部の少なくとも一方において、貯留部から供給される高温の熱媒体と園芸ハウス内の空気との間で熱交換を行わせることにより、園芸ハウス内の空気を加熱する。当該暖房モードを、光合成を期待できない夜間などに実行すれば、二酸化炭素を供給することなく、園芸ハウス内の空気の温度低下を抑制し、園芸植物の生育を阻害しない値に調整することが可能となる。
【００１２】
また、制御部は、暖房供給モードの実行により、園芸ハウス内の空気を加熱しながら二酸化炭素を供給する。当該暖房供給モードでは、第１空調用熱交換部において、燃焼ガスから吸熱した熱媒体と園芸ハウス内の空気との間で熱交換を行わせることにより、園芸ハウス内の空気を加熱する。朝方などは日の出とともに日射量が急速に増加するものの、まだ園芸ハウス内の空気の温度が低い状態にある。このような朝方に暖房供給モードを実行すれば、園芸ハウス内の空気を迅速に上昇させるとともに、二酸化炭素を供給し、園芸植物の光合成を促進することが可能となる。
【００１３】
また、制御部は、冷房供給モードの実行により、園芸ハウス内の空気を冷却しながら二酸化炭素を供給する。当該冷房供給モードでは、第２空調用熱交換部において、貯留部から供給される低温の熱媒体と園芸ハウス内の空気との間で熱交換を行わせることにより、園芸ハウス内の空気を冷却する。この低温の冷媒は、暖房モードの実行時に貯留部に貯留されたものである。当該冷房供給モードを、日射量が多い昼間などに実行すれば、二酸化炭素を供給しながらも、園芸ハウス内の空気の温度が過度に高まることを抑制し、園芸植物の光合成を促進することが可能となる。
【００１４】
さらに、本発明に係る他の二酸化炭素供給システムは、園芸ハウス内に二酸化炭素を供給する二酸化炭素供給システム（１０Ａ）であって、燃料を燃焼させ、燃焼ガスを前記園芸ハウス内に供給する燃焼部（２０）と、燃焼ガスと熱媒体との間で熱交換を行わせて該熱媒体に吸熱させる吸熱用熱交換部（３０）と、前記吸熱用熱交換部を介して熱媒体を循環させる循環流路（４０Ａ）と、前記吸熱用熱交換部よりも下流側の前記循環流路に設けられ、上流側から供給される熱媒体を内部に流入させて貯留し、且つ、該熱媒体の流入に伴って、貯留している熱媒体を下流側に流出させる貯留部（６０）と、前記循環流路に設けられ、熱媒体と前記園芸ハウス内の空気との間で熱交換を行わせる第３空調用熱交換部（５３）と、前記循環流路を切り替える切替弁（４６）であって、前記吸熱用熱交換部から供給される熱媒体を前記貯留部に供給し、前記貯留部から流出する熱媒体を前記第３空調用熱交換部に供給する第１循環状態と、前記吸熱用熱交換部から供給される熱媒体を前記貯留部に供給することなく前記第３空調用熱交換部に供給する第２循環状態と、を切り替える前記切替弁と、前記燃焼部、前記第３空調用熱交換部及び前記切替弁を制御する制御部（９０Ａ）と、を備える。前記制御部は、前記循環流路を前記第１循環状態として、前記燃焼部を動作させることなく前記第３空調用熱交換部を動作させることによって、前記園芸ハウス内の空気を加熱する暖房モードと、前記循環流路を前記第２循環状態として、前記燃焼部及び前記第３空調用熱交換部を動作させることによって、前記第３空調用熱交換部において前記園芸ハウス内の空気を加熱しながら二酸化炭素を供給する暖房供給モードと、前記切替弁を前記第１循環状態として、前記燃焼部及び前記第３空調用熱交換部を動作させることによって、前記第３空調用熱交換部において前記園芸ハウス内の空気を冷却しながら二酸化炭素を供給する冷房供給モードと、を実行する。
【００１５】
この構成によれば、制御部は、第３空調用熱交換部を園芸ハウス内の空気の加熱及び冷却に用いることで、暖房モード、暖房供給モード及び冷房供給モードを実行する。
【００１６】
制御部は、暖房モードにおいて、切替弁により循環流路を第１循環状態にすることで、貯留部から供給される熱媒体を第３空調用熱交換部に供給する。暖房モードでは、第３空調用熱交換部において、貯留部から供給される高温の熱媒体と園芸ハウス内の空気との間で熱交換を行わせることにより、園芸ハウス内の空気を加熱する。
【００１７】
また、制御部は、暖房供給モードにおいて、切替弁により循環流路を第２循環状態にすることで、吸熱用熱交換部から供給される熱媒体を貯留部に供給することなく第３空調用熱交換部に供給する。暖房供給モードでは、第３空調用熱交換部において、吸熱用熱交換部から供給される高温の熱媒体と園芸ハウス内の空気との間で熱交換を行わせることにより、園芸ハウス内の空気を加熱する。
【００１８】
また、制御部は、冷房供給モードにおいて、切替弁により循環流路を第１循環状態にすることで、貯留部から供給される熱媒体を第３空調用熱交換部に供給する。冷房供給モードでは、第３空調用熱交換部において、貯留部から供給される低温の熱媒体と園芸ハウス内の空気との間で熱交換を行わせることにより、園芸ハウス内の空気を冷却する。
【発明の効果】
【００１９】
本発明によれば、園芸ハウス内に二酸化炭素を供給しながら、園芸ハウス内の空気の温度が適切な値となるように調整可能な二酸化炭素供給システムを提供することができる。
【図面の簡単な説明】
【００２０】
【図１】第１実施形態に係る二酸化炭素供給システムの暖房モード実行時の態様を示す模式図である。
【図２】園芸ハウス内の空気の目標となる温度の変化と、園芸ハウス外の空気の温度の変化を示すグラフである。
【図３】第１実施形態に係る二酸化炭素供給システムの暖房供給モード実行時の態様を示す模式図である。
【図４】第１実施形態に係る二酸化炭素供給システムの冷房供給モード実行時の態様を示す模式図である。
【図５】第２実施形態に係る二酸化炭素供給システムの暖房モード実行時の態様を示す模式図である。
【図６】第２実施形態に係る二酸化炭素供給システムの暖房供給モード実行時の態様を示す模式図である。
【図７】第２実施形態に係る二酸化炭素供給システムの冷房供給モード実行時の態様を示す模式図である。
【発明を実施するための形態】
【００２１】
以下、添付図面を参照しながら本発明の実施形態について説明する。説明の理解を容易にするため、各図面において同一の構成要素に対しては可能な限り同一の符号を付して、重複する説明は省略する。
【００２２】
図１を参照しながら、第１実施形態に係る二酸化炭素供給システム１０（以下、単に「システム１０」とも称する）の構成について説明する。システム１０は、園芸ハウス１００に適用され、燃焼器２０と、吸熱用熱交換器３０と、循環流路４０と、第１空調用熱交換部５１と、第２空調用熱交換部５２と、タンク６０と、室温センサ８１と、水温センサ８２と、制御部９０と、を備えている。
【００２３】
園芸ハウス１００は、不図示の園芸植物を収容する温室である。園芸ハウス１００内は、隔壁１３０によって栽培空間１１０と中室１２０に区画されており、苺やトマト等の園芸植物は、栽培空間１１０に収容されている。園芸ハウス１００は、透光性や耐候性に優れたガラスやフィルム等が建材として用いられており、その内部は気密性が高い空間となっている。これにより、園芸ハウス１００内は、建材を透過する日射によって暖められて昇温し、園芸植物の光合成を促進させることができる。
【００２４】
燃焼器２０は、栽培空間１１０に配置され、高濃度の二酸化炭素を含むガスを発生させて栽培空間１１０に供給する機器である。燃焼器２０は、燃料である重油や灯油を燃焼させることで、二酸化炭素を含む燃焼ガスを発生させる。
【００２５】
吸熱用熱交換器３０は、燃焼器２０において発生した燃焼ガスと、熱媒体である水との間で熱交換を行わせる機器である。吸熱用熱交換器３０は、栽培空間１１０に配置され、燃焼器２０と一体的に形成される。燃焼器において発生する燃焼ガスは高温であることから、吸熱用熱交換器３０において熱交換を行う水は燃焼ガスから吸熱し、高温の水になる。
【００２６】
循環流路４０は、吸熱用熱交換器３０を介して環状に形成された流路である。循環流路４０は、栽培空間１１０と中室１２０とに跨って配置されている。循環流路４０にはポンプ４５が設けられており、このポンプ４５の駆動により、水が循環流路４０で循環する。燃焼器２０において燃料の燃焼が行われている場合は、水は吸熱用熱交換器３０を通過する際に吸熱して温度が上昇する一方で、燃焼器２０において燃料の燃焼が行われていない場合は、水は吸熱することなく吸熱用熱交換器３０を通過する。
【００２７】
第１空調用熱交換部５１は、吸熱用熱交換器３０よりも下流側の循環流路４０に設けられ、栽培空間１１０に配置されている。第１空調用熱交換部５１は、熱交換器５１１及びファン５１２を有している。
【００２８】
熱交換器５１１は、その内部に、水を流す流路が形成されている。ファン５１２は電動送風機であり、その駆動によって園芸ハウス１００内の空気を吸引し、熱交換器５１１の外側面を通過させる。熱交換器５１１では、吸熱用熱交換器３０から供給される水と、園芸ハウス１００内の空気との間で熱交換が行われ、温度が変化した空気がファン５１２によって園芸ハウス１００内に吹き出される。熱交換器５１１内の流路を通過した水は、さらに下流側の循環流路４０に供給される。
【００２９】
タンク６０は、その内部に水を貯留可能な容器である。タンク６０は、第１空調用熱交換部５１よりも下流側の循環流路４０に設けられており、上流側から供給される水を内部に流入させて貯留する。タンク６０は、上流側からの水の流入に伴って、それまで内部に貯留していた水を下流側に流出させるように構成されている。また、タンク６０は、不図示の断熱材を有しており、貯留している水の温度低下を抑制する保温機能を有している。
【００３０】
第２空調用熱交換部５２は、吸熱用熱交換器３０よりも下流側の循環流路４０に設けられ、栽培空間１１０に配置されている。第２空調用熱交換部５２は、熱交換器５２１及びファン５２２を有している。
【００３１】
熱交換器５２１は、その内部に、水を流す流路が形成されている。ファン５２２は電動送風機であり、その駆動によって園芸ハウス１００内の空気を吸引し、熱交換器５２１の外側面を通過させる。熱交換器５２１では、タンク６０から供給される水と、園芸ハウス１００内の空気との間で熱交換が行われ、温度が変化した空気がファン５２２によって園芸ハウス１００内に吹き出される。熱交換器５２１内の流路を通過した水は、さらに下流側の循環流路４０に供給される。
【００３２】
室温センサ８１は、栽培空間１１０に配置され、園芸ハウス１００内の空気の温度（以下、単に「ハウス内温度」とも称する）を検出する機器である。室温センサ８１は、ハウス内温度に対応する検出信号を生成し、制御部９０に送信する。
【００３３】
水温センサ８２は、循環流路４０に配置され、循環流路４０を流れる水の温度を検出する機器である。詳細には、水温センサ８２は第２空調用熱交換部５２よりも上流側、且つ、タンク６０よりも下流側の循環流路４０に配置され、第２空調用熱交換部５２に供給される水の温度を検出する。水温センサ８２は、当該水の温度に対応する検出信号を生成し、制御部９０に送信する。
【００３４】
制御部９０は、中室１２０に配置され、その一部又は全部がアナログ回路で構成されるか、デジタルプロセッサとして構成された電子機器である。制御部９０は、燃焼器２０、第１空調用熱交換部５１及び第２空調用熱交換部５２に制御信号を送信し、それらの動作を制御する。具体的には、制御部９０は、燃焼器２０における燃焼とその停止を制御する。また、制御部９０は、ファン５１２及びファン５２２の駆動と停止を制御することで、第１空調用熱交換部５１、第２空調用熱交換部５２における熱交換を制御する。また、制御部９０は、室温センサ８１及び水温センサ８２から受信する検出信号に基づいて所定の演算を行い、ハウス内温度と、第２空調用熱交換部５２に供給される水の温度とを取得する。
【００３５】
次に、図１乃至図４を参照しながら、制御部９０が実行する複数の運転モードについて説明する。
【００３６】
図２は、園芸植物の生育の観点から、園芸ハウス１００内の空気の目標となる温度（以下、単に「目標温度」とも称する）の変化を実線で例示している。また、図２は、園芸ハウス１００外の空気の温度（以下、単に「外気温度」とも称する）の変化を破線で例示している。この目標温度は、システム１０が後述する暖房供給モードと冷房供給モードとを実行する際の閾値となる。
【００３７】
夜間（例えば、１９時頃から翌日の７時頃まで）は、園芸ハウス１００に日射が供給されないため、園芸植物の光合成が行われない。このため、園芸ハウス１００内に二酸化炭素を供給する必要はない。すなわち、夜間は、園芸植物が低温になって生育が阻害されない程度に、園芸ハウス１００内の空気を適度に加熱すればよい。このときの目標温度は園芸植物の種類によって異なるが、例えば、１５℃程度とすることができる。
【００３８】
また、深夜から朝方（例えば、２時頃から７時頃まで）は、外気温度の低下に伴って、園芸植物の葉面等で結露が発生するおそれがある。このような結露は、カビ発生や変色等の原因となり、園芸植物の品質に悪影響を及ぼす。そこで、深夜から朝方は、結露を防止するため、園芸ハウス１００内の空気を加熱し、ハウス内温度を徐々に上昇させることが好ましい。
【００３９】
また、朝方（例えば、７時頃から９時頃まで）は、園芸ハウス１００に供給される日射量が日の出に伴って急速に増加する。したがって、朝方は、園芸植物の光合成を促進するため、園芸ハウス１００内に二酸化炭素を供給するとともに、園芸ハウス１００内の空気を加熱し、ハウス内温度を迅速に上昇させることが好ましい。
【００４０】
また、昼間（例えば、９時頃から１７時頃まで）は、外気温度の上昇と日射量の増加に伴い、ハウス内温度は高い値となる傾向がある。したがって、昼間は、園芸植物の光合成を促進するため、園芸ハウス１００内に二酸化炭素を供給するとともに、ハウス内温度が適切な値となるように調整することが好ましい。つまり、ハウス内温度が目標温度よりも低い場合は、二酸化炭素を供給しながら園芸ハウス１００内の空気を加熱する一方で、ハウス内温度が目標温度よりも高い場合は、二酸化炭素を供給しながら園芸ハウス１００内の空気を冷却することが好ましい。
【００４１】
また、夕方（例えば、１７時頃から１９時ごろまで）は、外気温度の低下と日射量の減少とに伴い、ハウス内温度が急速に低下する傾向がある。これにより、園芸植物の光合成が鈍化する。
【００４２】
しかしながら、夕方にハウス内温度が低下すると、園芸植物の根から葉や果実への、水分や養分の供給が促される。すなわち、ここでのハウス内温度の低下は、園芸植物の生育に好適なものとなる。したがって、夕方は、園芸ハウス１００内への二酸化炭素の供給や、園芸ハウス１００内の空気の加熱を行う必要はない。
【００４３】
制御部９０は、ハウス内温度をこのような目標温度に近い値にするため、暖房モード、暖房供給モード及び冷房供給モードを実行する。以下、各運転モードにおけるシステム１０の動作について説明する。
【００４４】
［暖房モード］
制御部９０は、夜間に暖房モードを実行する。図１は、暖房モードにおけるシステム１０の動作を示している。
【００４５】
制御部９０は、燃焼器２０において燃料を燃焼させることなく、ポンプ４５を駆動させる。これにより、循環流路４０の水は、吸熱することなく吸熱用熱交換器３０を通過する。
【００４６】
制御部９０は、第１空調用熱交換部５１のファン５１２を駆動させない。これにより、循環流路４０の水は、園芸ハウス１００内の空気との熱交換を行うことなく、第１空調用熱交換部５１を通過する。第１空調用熱交換部５１を通過した水は、その下流側のタンク６０内に流入する。
【００４７】
ところで、暖房モード開始時のタンク６０内には、高温の水が貯留されている。このタンク６０内の高温の水は、後述するように、朝方や昼間に暖房供給モード及び冷房供給モードを実行した際に貯留されたものである。上流側からタンク６０内に水が流入すると、その流入に伴って、それまで内部に貯留されていた高温の水が下流側に流出する。タンク６０内から流出した高温の水は、循環流路４０によって第２空調用熱交換部５２に導かれる。
【００４８】
制御部９０は、第２空調用熱交換部５２のファン５２２を駆動させる。これにより、第２空調用熱交換部５２の熱交換器５２１では、タンク６０から供給される高温の水と、園芸ハウス１００内の空気との間で熱交換が行われる。この結果、空気は加熱されて昇温し、矢印Ｈ１で示されるように、ファン５２２によって園芸ハウス１００内に吹き出される。制御部９０は、室温センサ８１によって検出されるハウス内温度を、図２に示される夜間の理想温度に近づけるように、第２空調用熱交換部５２に供給する高温の水の流量や、園芸ハウス１００内に吹き出す空気の流量を調整する。
【００４９】
このような暖房モードの実行により、園芸植物の光合成が行われない夜間に、園芸ハウス１００内に二酸化炭素を供給することなく、園芸ハウス１００内の空気を加熱することができる。これにより、ハウス内温度を、園芸植物が低温になって生育が阻害されない程度のものに維持することができる。また、結露防止が求められる深夜から朝方は、第２空調用熱交換部５２に供給する高温の水の流量を増加させて熱交換を活発化させれば、二酸化炭素を供給することなくハウス内温度を徐々に上昇させることができる。
【００５０】
尚、ここでは、第２空調用熱交換部５２において、タンク６０から供給される高温の水と、園芸ハウス１００内の空気との間で熱交換を行わせているが、暖房モードはこの態様に限定されるものではない。例えば、高温の水と園芸ハウス１００内の空気との間の熱交換を、第２空調用熱交換部５２に代えて第１空調用熱交換部５１において行ってもよいし、第２空調用熱交換部５２に加えて第１空調用熱交換部５１において行ってもよい。すなわち、タンク６０から供給される高温の水を用いた園芸ハウス１００内の空気の加熱は、第１空調用熱交換部５１及び第２空調用熱交換部５２の少なくとも一方において行えばよい。
【００５１】
［暖房供給モード］
制御部９０は、朝方に暖房供給モードを実行する。また、制御部９０は、昼間、ハウス内温度が図２に示される目標温度よりも低い場合にも、暖房供給モードを実行する。図３は、暖房供給モードにおけるシステム１０の動作を示している。
【００５２】
制御部９０は、燃焼器２０において燃料を燃焼させるとともに、ポンプ４５を駆動させる。これにより、矢印Ｇ１で示されるように、二酸化炭素を含む燃焼ガスが園芸ハウス１００内に供給される。この二酸化炭素を含む燃焼ガスは、吸熱用熱交換器３０を通過する循環流路４０の水と熱交換した際に温度が低下している。一方、循環流路４０の水は、吸熱用熱交換器３０を通過する際に吸熱して温度が上昇する。
【００５３】
また、制御部９０は、第１空調用熱交換部５１のファン５１２を駆動させる。これにより、第１空調用熱交換部５１の熱交換器５１１では、吸熱用熱交換器３０から供給される高温の水と、園芸ハウス１００内の空気との間で熱交換が行われる。この結果、空気は加熱されて昇温し、矢印Ｈ２で示されるように、ファン５１２によって園芸ハウス１００内に吹き出される。制御部９０は、室温センサ８１によって検出されるハウス内温度を、図２に示される朝方の目標温度に近づけるように、第１空調用熱交換部５１に供給する高温の水の流量や、園芸ハウス１００内に吹き出す空気の流量を調整する。第１空調用熱交換部５１を通過した水は、その下流側のタンク６０内に流入する。
【００５４】
ところで、暖房供給モード開始時のタンク６０内には、低温の水が貯留されている。このタンク６０内の低温の水は、前述したように夜間に実行した暖房モードによって貯留されたものである。
【００５５】
暖房供給モードにおいて第１空調用熱交換部５１を通過した水は、園芸ハウス１００内の空気と熱交換を行った際に温度が低下している。しかしながら、第１空調用熱交換部５１を通過した水の温度は、タンク６０内に貯留されている水と比べて十分高い。
【００５６】
したがって、上流側からタンク６０内に水が流入し、その流入に伴って、それまでタンク６０内に貯留されていた低温の水が下流側に流出することで、タンク６０内に貯留されている水の温度が徐々に上昇する。タンク６０内から流出した低温の水は、循環流路４０によって第２空調用熱交換部５２に導かれる。
【００５７】
制御部９０は、第２空調用熱交換部５２のファン５２２を駆動させない。これにより、循環流路４０の水は、園芸ハウス１００内の空気との熱交換を行うことなく、第２空調用熱交換部５２を通過する。
【００５８】
このような暖房供給モードの実行により、園芸植物の光合成が徐々に活発となる朝方や、ハウス内温度が図２に示される目標温度よりも低い昼間に、園芸ハウス１００内に二酸化炭素を供給しながら、園芸ハウス１００内の空気を加熱することができる。これにより、園芸植物に二酸化炭素を供給しながら、ハウス内温度を迅速に上昇させて目標温度に近づけることができる。
【００５９】
［冷房供給モード］
制御部９０は、昼間、ハウス内温度が図２に示される目標温度よりも高い場合に、冷房供給モードを実行する。図４は、冷房供給モードにおけるシステム１０の動作を示している。
【００６０】
制御部９０は、燃焼器２０において燃料を燃焼させるとともに、ポンプ４５を駆動させる。これにより、矢印Ｇ２で示されるように、二酸化炭素を含む燃焼ガスが園芸ハウス１００内に供給される。この二酸化炭素を含む燃焼ガスは、吸熱用熱交換器３０を通過する循環流路４０の水と熱交換する際に温度が低下している。一方、循環流路４０の水は、吸熱用熱交換器３０を通過する際に吸熱して温度が上昇する。
【００６１】
制御部９０は、第１空調用熱交換部５１のファン５１２を駆動させない。これにより、循環流路４０の水は、園芸ハウス１００内の空気との熱交換を行うことなく、第１空調用熱交換部５１を通過する。
【００６２】
ところで、冷房供給モード開始時のタンク６０内には、低温の水が貯留されている。このタンク６０内の低温の水は、前述したように夜間に実行した暖房モードによって貯留されたものである。前述した朝方の暖房供給モードを実行したことにより、暖房供給モードの実行開始時に比べて水の温度は上昇しているが、昼間のハウス内温度と比べて低い値となっている。
【００６３】
したがって、上流側からタンク６０内に水が流入し、その流入に伴って、それまでタンク６０内に貯留されていた低温の水が下流側に流出することで、タンク６０内に貯留されている水の温度が徐々に上昇する。タンク６０内から流出した低温の水は、循環流路４０によって第２空調用熱交換部５２に導かれる。
【００６４】
制御部９０は、第２空調用熱交換部５２のファン５２２を駆動させる。これにより、第２空調用熱交換部５２の熱交換器５２１では、タンク６０から供給される低温の水と、園芸ハウス１００内の空気との間で熱交換が行われる。この結果、空気は冷却されその温度が低下し、矢印Ｃ１で示されるように、ファン５２２によって園芸ハウス１００内に吹き出される。制御部９０は、室温センサ８１によって検出されるハウス内温度を、図２に示される夜間の目標温度に近づけるように、第２空調用熱交換部５２に供給する低温の水の流量や、園芸ハウス１００内に吹き出す空気の流量を調整する。
【００６５】
このような冷房供給モードの実行により、ハウス内温度が図２に示される目標温度よりも高い昼間に、園芸ハウス１００内に二酸化炭素を供給しながら、園芸ハウス１００内の空気を冷却することができる。これにより、園芸植物に二酸化炭素を供給しながら、ハウス内温度を迅速に低下させて目標温度に近づけることができる。
【００６６】
尚、第２空調用熱交換部５２において空気の冷却が可能であるのは、タンク６０から供給される水の温度がハウス内温度よりも低い場合に限られる。したがって、制御部９０は、水温センサ８２に基づいて検出される水の温度が、ハウス内温度よりも高い場合は、冷房供給モードの実行を禁止する。すなわち、制御部９０は、第２空調用熱交換部５２に供給される水の温度がハウス内温度よりも高くなると、第２空調用熱交換部５２のファン５２２を停止させ、水と園芸ハウス１００内の空気との間の熱交換を行わせない。
【００６７】
次に、本第１実施形態に係るシステム１０によって得られる効果について説明する。
【００６８】
システム１０の構成によれば、制御部９０は、暖房モードの実行により、園芸ハウス１００内に二酸化炭素を供給することなく園芸ハウス１００内の空気を加熱する。当該暖房モードでは、第１空調用熱交換部５１及び第２空調用熱交換部５２の少なくとも一方において、タンク６０から供給される高温の水と園芸ハウス１００内の空気との間で熱交換を行わせることにより、園芸ハウス１００内の空気を加熱する。当該暖房モードを、光合成を期待できない夜間などに実行すれば、二酸化炭素を供給することなく、園芸ハウス内の空気の温度低下を抑制し、園芸植物の生育が阻害されないものに調整することが可能となる。
【００６９】
また、制御部９０は、暖房供給モードの実行により、園芸ハウス１００内の空気を加熱しながら二酸化炭素を供給する。当該暖房供給モードでは、第１空調用熱交換部５１において、燃焼ガスから吸熱した水と園芸ハウス１００内の空気との間で熱交換を行わせることにより、園芸ハウス１００内の空気を加熱する。朝方などは日の出とともに日射量が急速に増加するものの、まだ園芸ハウス１００内の空気の温度が低い状態にある。このような朝方に暖房供給モードを実行すれば、園芸ハウス１００内の空気を迅速に上昇させるとともに、二酸化炭素を供給し、園芸植物の光合成を促進することが可能となる。
【００７０】
また、制御部９０は、冷房供給モードの実行により、園芸ハウス１００内の空気を冷却しながら二酸化炭素を供給する。当該冷房供給モードでは、第２空調用熱交換部５２において、タンク６０から供給される低温の水と園芸ハウス１００内の空気との間で熱交換を行わせることにより、園芸ハウス１００内の空気を冷却する。この低温の冷媒は、暖房モードの実行時に貯留部に貯留されたものである。当該暖房モードを、昼間などに実行すれば、二酸化炭素を供給しながらも、園芸ハウス１００内の空気の温度が過度に高まることを抑制し、園芸植物の光合成を促進することが可能となる。
【００７１】
また、システム１０は、園芸ハウス１００内の空気の温度を検出する室温センサ８１を備える。制御部９０は、園芸ハウス１００内の空気の温度が予め設定された閾値である目標温度よりも低い場合は暖房供給モードを実行する一方で、園芸ハウス内の空気の温度が目標温度よりも高い場合は冷房供給モードを実行する。これにより、園芸ハウス１００内の空気の温度を目標温度に近い値に調整し、園芸植物の光合成を促進することができる。
【００７２】
また、閾値である目標温度は、時間とともに変化するように設定されている。これにより、時間とともに変化する日射量に応じて、園芸ハウス１００内の空気の温度を変化させ、園芸植物の光合成を促進することができる。
【００７３】
また、システム１０は、第２空調用熱交換部５２に供給される水の温度を検出する水温センサ８２を備える。制御部９０は、水温センサ８２によって検出される温度が、室温センサ８１によって検出される温度よりも高い場合は、冷房供給モードの実行を禁止する。これにより、園芸ハウス１００内の空気を冷却する必要があるにもかかわらず、誤って第２空調用熱交換部５２において空気を加熱してしまうことを防止できる。
【００７４】
続いて、第２実施形態に係る二酸化炭素供給システム１０Ａ（以下、単に「システム１０Ａ」とも称する）について、図５乃至図７を参照しながら説明する。このシステム１０Ａは、第１実施形態と同様に、園芸ハウス１００に適用され、二酸化炭素の供給やハウス内温度の調整を行うものである。システム１０Ａは、単一の熱交換器によって空気の加熱と冷却を行う点や、熱媒体である水を循環させる流路の構成等が、第１実施形態と異なる。システム１０Ａのうち第１実施形態と同一の構成については、同一の符号を付して、説明を適宜省略する。
【００７５】
システム１０は、燃焼器２０と、吸熱用熱交換器３０と、循環流路４０Ａと、切替弁４６と、第３空調用熱交換部５３と、タンク６０と、室温センサ８１と、水温センサ８２と、制御部９０Ａと、を備えている。
【００７６】
循環流路４０Ａは、第１循環流路４１Ａと、第２循環流路４２Ａと、を有している。第１循環流路４１Ａと第２循環流路４２Ａは、互いに独立して形成されている。
【００７７】
第１循環流路４１Ａは、端部４１Ａ１から端部４１Ａ２まで延びる流路であり、栽培空間１１０に配置されている。端部４１Ａ１及び端部４１Ａ２が互いに近傍に配置されることにより、第１循環流路４１Ａは略環状を呈している。第１循環流路４１Ａには、吸熱用熱交換器３０が設けられている。また、吸熱用熱交換器３０よりも上流側の第１循環流路４１Ａには、ポンプ４５が設けられている。このポンプ４５の駆動により、熱媒体である水が第１循環流路４１Ａを流れ、吸熱用熱交換器３０に供給される。
【００７８】
第２循環流路４２Ａは、端部４２Ａ１から端部４２Ａ２まで延びる流路であり、栽培空間１１０と中室１２０とに跨って配置されている。端部４２Ａ１及び端部４２Ａ２が互いに近傍に配置されることにより、第２循環流路４２Ａは略環状を呈している。第２循環流路４２Ａには、タンク６０が設けられている。
【００７９】
切替弁４６は、第１循環流路４１Ａの端部４１Ａ１，４１Ａ２と、第２循環流路４２Ａの端部４２Ａ１，４２Ａ２と、の間に配置される流路切替機構である。切替弁４６は、内部に流路を有する弁体の回転により、循環流路４０Ａの第１循環状態と第２循環状態とを切り替えるように機能する。
【００８０】
第１循環状態は、図５及び図７に示されるように、第１循環流路４１Ａの端部４１Ａ１と第２循環流路４２Ａの端部４２Ａ２とを接続し、第１循環流路４１Ａの端部４１Ａ２と第２循環流路４２Ａの端部４２Ａ１とを接続した状態である。この第１循環状態では、第１循環流路４１Ａは第２循環流路４２Ａと接続され、全体として１つの閉回路が形成される。
【００８１】
第２循環状態は、図６に示されるように、第１循環流路４１Ａの端部４１Ａ１と端部４１Ａ２とを接続し、第２循環流路４２Ａの端部４２Ａ１と端部４２Ａ２とを接続した状態である。この第２循環状態では、第１循環流路４１Ａは第２循環流路４２Ａから切り離され、第１循環流路４１Ａ、第２循環流路４２Ａのそれぞれで閉回路が形成される。
【００８２】
第３空調用熱交換部５３は、ポンプ４５よりも上流側の第１循環流路４１Ａに設けられている。第３空調用熱交換部５３は、熱交換器５３１及びファン５３２を有している。
【００８３】
熱交換器５３１は、その内部に、水を流す流路が形成されている。ファン５３２は電動送風機であり、その駆動によって園芸ハウス１００内の空気を吸引し、熱交換器５３１の外側面を通過させる。熱交換器５３１では、上流側から供給される水と、園芸ハウス１００内の空気との間で熱交換が行われ、温度が変化した空気がファン５３２によって園芸ハウス１００内に吹き出される。熱交換器５３１内の流路を通過した水は、さらに下流側の循環流路４０に供給される。
【００８４】
水温センサ８２は、第１循環流路４１Ａに配置され、第１循環流路４１Ａを流れる水の温度を検出する機器である。詳細には、水温センサ８２は、端部４１Ａ１と第３空調用熱交換部５３との間の第１循環流路４１Ａに配置され、第３空調用熱交換部５３に供給される水の温度を検出する。水温センサ８２は、当該水の温度に対応する検出信号を生成し、制御部９０Ａに送信する。
【００８５】
制御部９０Ａは、燃焼器２０、第３空調用熱交換部５３に制御信号を送信し、それらの動作を制御する電子機器である。具体的には、制御部９０Ａは、燃焼器２０における燃焼とその停止を制御する。また、制御部９０Ａは、ファン５３２の駆動と停止を制御することで、第３空調用熱交換部５３における熱交換を制御する。また、制御部９０Ａは、室温センサ８１及び水温センサ８２から受信する検出信号に基づいて所定の演算を行い、ハウス内温度と、第３空調用熱交換部５３に供給される水の温度とを取得する。
【００８６】
以上の説明のように構成されたシステム１０Ａも、第１実施形態に係るシステム１０と同様に、ハウス内温度を目標温度に近い値にするため、暖房モード、暖房供給モード及び冷房供給モードを実行する。以下、各運転モードにおけるシステム１０Ａの動作について説明する。各運転モードのうち、第１実施形態と異なる点について主に説明する。
【００８７】
［暖房モード］
制御部９０Ａは、図５に示されるように、燃焼器２０において燃料を燃焼させることなく、循環流路４０Ａが第１状態となるように切替弁４６を動作させ、ポンプ４５を駆動させる。これにより、第１循環流路４１Ａの水は、吸熱することなく吸熱用熱交換器３０を通過する。また、吸熱用熱交換器３０を通過した水は、第１循環流路４１Ａの端部４１Ａ２と、切替弁４６とを介して、端部４２Ａ１から第２循環流路４２Ａに流入する。端部４２Ａ１を通過した水は、その下流側のタンク６０内に流入する。
【００８８】
ところで、暖房モード開始時のタンク６０内には、高温の水が貯留されている。このタンク６０内の高温の水は、後述するように、冷房供給モードを実行した際に貯留されたものである。
【００８９】
上流側からタンク６０内に水が流入すると、その流入に伴って、それまで内部に貯留されていた高温の水が下流側に流出する。タンク６０内から流出した高温の水は、第２循環流路４２Ａの下流側に流れる。
【００９０】
この高温の水は、第２循環流路４２Ａの端部４２Ａ２と、切替弁４６とを介して、端部４１Ａ１から第１循環流路４１Ａに流入する。さらに、この高温の水は、第１循環流路４１Ａによって第３空調用熱交換部５３に導かれる。
【００９１】
制御部９０Ａは、第３空調用熱交換部５３のファン５３２を駆動させる。これにより、第３空調用熱交換部５３の熱交換器５３１では、タンク６０から供給される高温の水と、園芸ハウス１００内の空気との間で熱交換が行われる。この結果、空気は水から吸熱して昇温し、矢印Ｈ３で示されるように、ファン５３２によって園芸ハウス１００内に吹き出される。制御部９０Ａは、室温センサ８１によって検出されるハウス内温度を、図２に示される目標温度に近づけるように、第３空調用熱交換部５３に供給する高温の水の流量や、園芸ハウス１００内に吹き出す空気の流量を調整する。
【００９２】
［暖房供給モード］
制御部９０Ａは、図６に示されるように、燃焼器２０において燃料を燃焼させるとともに、循環流路４０Ａが第２状態となるように切替弁４６を動作させ、ポンプ４５を駆動させる。これにより、矢印Ｇ３で示されるように、二酸化炭素を含む燃焼ガスが園芸ハウス１００内に供給される。また、吸熱用熱交換器３０を通過して燃焼ガスから吸熱した水は、第１循環流路４１Ａの端部４１Ａ２と、切替弁４６とを介して、端部４１Ａ１から再び第１循環流路４１Ａに流入する。
【００９３】
また、制御部９０Ａは、第３空調用熱交換部５３のファン５３２を駆動させる。これにより、第３空調用熱交換部５３の熱交換器５３１では、吸熱用熱交換器３０から供給される高温の水と、園芸ハウス１００内の空気との間で熱交換が行われる。この結果、空気は加熱されて昇温し、矢印Ｈ４で示されるように、ファン５３２によって園芸ハウス１００内に吹き出される。制御部９０Ａは、室温センサ８１によって検出されるハウス内温度を、図２に示される朝方の目標温度に近づけるように、第３空調用熱交換部５３に供給する高温の水の流量や、園芸ハウス１００内に吹き出す空気の流量を調整する。第３空調用熱交換部５３を通過した水は、第１循環流路４１Ａによって再び吸熱用熱交換器３０に導かれる。
【００９４】
［冷房供給モード］
制御部９０Ａは、図７に示されるように、燃焼器２０において燃料を燃焼させるとともに、循環流路４０Ａが第１状態となるように切替弁４６を動作させ、ポンプ４５を駆動させる。これにより、矢印Ｇ４で示されるように、二酸化炭素を含む燃焼ガスが園芸ハウス１００内に供給される。また、吸熱用熱交換器３０を通過して燃焼ガスから吸熱した水は、第１循環流路４１Ａの端部４１Ａ２と、切替弁４６とを介して、端部４２Ａ１から第２循環流路４２Ａに流入する。端部４２Ａ１を通過した水は、その下流側のタンク６０内に流入する。
【００９５】
冷房供給モード開始時のタンク６０内には、低温の水が貯留されている。このタンク６０内の低温の水は、前述した暖房モードによって貯留されたものである。
【００９６】
したがって、上流側からタンク６０内に水が流入し、その流入に伴って、それまでタンク６０内に貯留されていた低温の水が下流側に流出することで、タンク６０内に貯留されている水の温度がタンク上部より徐々に上昇する。タンク６０内から流出した低温の水は、第２循環流路４２Ａの下流側に流れる。
【００９７】
この低温の水は、第２循環流路４２Ａの端部４２Ａ２と、切替弁４６とを介して、端部４１Ａ１から第１循環流路４１Ａに流入する。さらに、この低温の水は、第１循環流路４１Ａによって第３空調用熱交換部５３に導かれる。
【００９８】
制御部９０Ａは、第３空調用熱交換部５３のファン５３２を駆動させる。これにより、第３空調用熱交換部５３の熱交換器５３１では、タンク６０から供給される低温の水と、園芸ハウス１００内の空気との間で熱交換が行われる。この結果、空気は冷却されその温度が低下し、矢印Ｃ２で示されるように、ファン５２２によって園芸ハウス１００内に吹き出される。制御部９０Ａは、室温センサ８１によって検出されるハウス内温度を、図２に示される目標温度に近づけるように、第３空調用熱交換部５３に供給する低温の水の流量や、園芸ハウス１００内に吹き出す空気の流量を調整する。
【００９９】
以上の説明のように構成されたシステム１０Ａも、暖房モード、暖房供給モード及び冷房供給モードを実行することにより、園芸ハウス１００内の空気の温度を目標温度に近い値に調整し、園芸植物の光合成を促進することができる。
【０１００】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されるわけではなく適宜変更することができる。
【０１０１】
前述した実施形態は、燃料を燃焼させて二酸化炭素を供給する燃焼部として、燃焼器２０を用いた例を示している。しかしながら、本発明の範囲はこの形態に限定されるものではない。例えば、燃焼部として、燃料の燃焼により駆動力を発生させるエンジンや、発電に用いられなかった残余の燃料を燃焼させる燃料電池を用いる形態も、本発明の範囲に包含される。
【０１０２】
前述した実施形態は、燃焼器２０で燃料させる燃料として、重油や灯油を用いた例を示している。しかしながら、本発明の範囲はこの形態に限定されるものではない。例えば、重油や灯油に代えて、都市ガスやＬＰガスを燃料として用いる形態も、本発明の範囲に包含される。
【０１０３】
前述した実施形態は、熱媒体として水を用いた例を示している。しかしながら、本発明の範囲はこの形態に限定されるものではない。例えば、水に代えて不凍液を熱媒体として用いる形態も、本発明の範囲に包含される。
【０１０４】
前述した第１実施形態は、図４に矢印Ｇ２で示されるように、冷房供給モードの実行時に燃焼器２０から園芸ハウス１００内に直接燃料ガスを供給する例を示している。しかしながら、本発明の範囲はこの形態に限定されるものではない。例えば、冷房供給モードの実行時に、燃焼器２０において発生した燃焼ガスを、熱交換部５２の熱交換器５２１に通過させた後に園芸ハウス１００内に供給する形態も、本発明の範囲に包含される。
【符号の説明】
【０１０５】
１０，１０Ａ：二酸化炭素供給システム
２０：燃焼器（燃焼部）
３０：吸熱用熱交換器（吸熱用熱交換部）
４０，４０Ａ：循環流路
４６：切替弁
５１：第１空調用熱交換部
５２：第２空調用熱交換部
５３：第３空調用熱交換部
６０：タンク（貯留部）
８１：室温センサ（ハウス内温度検出部）
８２：水温センサ（熱媒体温度検出部）
９０，９０Ａ：制御部
１００：園芸ハウス
【図１】
0006493247.tif 000002
【図２】
0006493247.tif 000003
【図３】
0006493247.tif 000004
【図４】
0006493247.tif 000005
【図５】
0006493247.tif 000006
【図６】
0006493247.tif 000007
【図７】
0006493247.tif 000008